(57)【要約】【課題】槽底が傾斜している場合であっても、堆積物の掻寄の機構と浮上物の掻寄の機構とをリンクして連動させることを可能とする堆積物及び浮上物の掻寄装置を提供する。【解決手段】汚泥及びスカムの掻寄装置は、槽底１０ｂの汚泥を掻き寄せる汚泥掻寄フライト１２を揺動可能に支持すると共に、槽底１０ｂに沿って往復動可能な掻寄架台３０と、水面１１上のスカムを掻き寄せるスカム掻寄フライト７２を揺動可能に支持すると共に、水面１１に沿って往復動可能な掻寄架台６０と、掻寄架台３０の往復動に連動して掻寄架台６０を横方向に移動させつつ、掻寄架台３０の上下方向の変位を吸収するように、掻寄架台３０と掻寄架台６０とを連結する連結機構９０と、を備える。【選択図】図１
2008073599.tif 000002
【特許請求の範囲】
【請求項１】
槽底の堆積物を掻き寄せる堆積物用掻寄羽根を揺動可能に支持すると共に、槽底に沿って往復動可能な第１の架台と、
水面上の浮上物を掻き寄せる浮上物用掻寄羽根を揺動可能に支持すると共に、水面に沿って往復動可能な第２の架台と、
前記第１の架台の往復動に連動して前記第２の架台を横方向に移動させつつ、該第１の架台の上下方向の変位を吸収するように、該第１の架台と該第２の架台とを連結する連結機構と、
を備えることを特徴とする、堆積物及び浮上物の掻寄装置。
【請求項２】
前記連結機構は、
前記第１及び第２の架台の一方から上下方向に立設又は垂下された筒体と、
前記第１及び第２の架台の他方から上下方向に立設又は垂下され、少なくとも先端部が前記筒体に挿通される棒体と、
を有することを特徴とする、請求項１に記載の堆積物及び浮上物の掻寄装置。
【発明の詳細な説明】
【技術分野】
【０００１】
本発明は、堆積物及び浮上物の掻寄装置に関するものである。
【背景技術】
【０００２】
従来、汚水処理施設等の沈殿池の槽底に堆積した汚泥や水面を漂うスカムを一方向へ集めるため、フライトの往復運動によってこれらを掻き寄せるスカム掻寄機能付き汚泥掻寄装置が存在している。汚泥の掻寄において、往動においては汚泥掻寄動作を行い、復動時にはフライトが汚泥を掻き戻すことのないようにフライトを上部に移動させることにより掻き戻しを防いでいる。そして掻き寄せられた汚泥は、汚泥ピットの中に掻き寄せられ、回収される。また、同様にスカムの掻き寄せにおける往動においては、スカム掻寄動作を行い、復動時には、フライトがスカムを掻き戻すことのないようにフライトを水面下に水没あるいは水面上に退避させることにより、掻き戻しを防いでいる。そしてスカムパイプへ掻き寄せることによってスカムの回収が行われる。
【０００３】
当該装置によって、汚泥およびスカムを一方向へ掻き寄せると共に、掻き戻し防止を実現しており、例としては、以下の特許文献１がある。この装置では、動力源の簡素化のために、汚泥掻寄動作とスカム掻寄動作とを駆動するための動力源を一つにすると共に、汚泥掻寄装置およびスカム掻寄装置とをリンクして連動させている。
【特許文献１】特開２００６−６１８７６号公報
【発明の開示】
【発明が解決しようとする課題】
【０００４】
ここで、汚水処理施設等の沈殿池の槽底は、汚泥ピットへ汚泥を運び易いように、汚泥ピットに向かって傾斜させるのが好ましい。このとき、汚泥掻寄装置は、槽底に沿って傾斜した軌道上を往復動させる必要がある。一方で、スカム掻寄装置は、浮上したスカムを好適に掻き寄せられるように水面に沿った水平な軌道上を往復動させる必要がある。このように、槽底が傾斜しているときには、汚泥掻寄装置とスカム掻寄装置とを、互いに平行でない軌道に沿ってそれぞれ往復動させる必要がある。
【０００５】
しかしながら、上記した従来の装置では、汚泥掻寄装置とスカム掻寄装置とを単に剛にリンクさせているだけであるため、槽底が傾斜している場合には適応できないという問題があった。
【０００６】
本発明は、上記事情に鑑みてなされたものであり、槽底が傾斜している場合であっても、堆積物の掻寄の機構と浮上物の掻寄の機構とをリンクして連動させることを可能とする堆積物及び浮上物の掻寄装置を提供しようとするものである。
【課題を解決するための手段】
【０００７】
本発明に係る堆積物及び浮上物の掻寄装置は、槽底の堆積物を掻き寄せる堆積物用掻寄羽根を揺動可能に支持すると共に、槽底に沿って往復動可能な第１の架台と、水面上の浮上物を掻き寄せる浮上物用掻寄羽根を揺動可能に支持すると共に、水面に沿って往復動可能な第２の架台と、第１の架台の往復動に連動して第２の架台を横方向に移動させつつ、第１の架台の上下方向の変位を吸収するように、第１の架台と第２の架台とを連結する連結機構と、を備えることを特徴とする。
【０００８】
この装置では、連結機構により第１の架台の上下方向の変位を吸収することができるため、槽底が傾斜している場合に、第１の架台をその傾斜に沿って往復動させつつも、第２の架台を上下方向に変位させることなく、水面に沿って横方向に往復動するよう連動させることができる。このように、槽底が傾斜している場合であっても、浮上物の掻寄の機構と堆積物の掻寄の機構とをリンクさせて連動させることができ、浮上物及び堆積物の掻寄の両立を図ることが可能となる。
【０００９】
連結機構は、第１及び第２の架台の一方から上下方向に立設又は垂下された筒体と、第１及び第２の架台の他方から上下方向に立設又は垂下され、少なくとも先端部が筒体に挿通される棒体と、を有することを特徴としてもよい。このようにすれば、第１の架台に設けられた筒体又は棒体が、第２の架台に設けられた棒体又は筒体を横方向に付勢することで、第１の架台の往復動に連動して第２の架台を横方向に移動させることができる。このとき、棒体が筒体内を上下することで、第１の架台の上下方向の変位を吸収することができる。
【発明の効果】
【００１０】
本発明によれば、槽底が傾斜している場合であっても、堆積物の掻寄の機構と浮上物の掻寄の機構とをリンクして連動させることを可能とする堆積物及び浮上物の掻寄装置を提供することができる。
【発明を実施するための最良の形態】
【００１１】
以下、添付図面を参照しながら、本発明に係る堆積物及び浮上物の掻寄装置の好適な実施形態について詳細に説明する。なお、図面の説明において、同一または相当要素には同一の符号を付し、重複する説明は省略する。
【００１２】
図１は堆積物及び浮上物の掻寄装置を横方向から見た全体図であり、図２はこの掻寄装置を示す側面模式図であり、図１のＩＩ−ＩＩ線矢視図である。
【００１３】
本実施形態の掻寄装置は、槽１０の槽底１０ｂに堆積する汚泥（堆積物）を汚泥ピット１０ａへ向けて掻き寄せる汚泥掻寄部１と、槽１０の水面１１に浮上するスカム（浮上物）を、スカムパイプ２０へ向けて掻き寄せるスカム掻寄部２とを有している。
【００１４】
汚泥掻寄部１は、汚泥を掻き寄せる汚泥掻寄フライト（堆積物用掻寄羽根）１２を水平方向に複数一定間隔で揺動可能に支持する汚泥掻寄用の掻寄架台（第１の架台）３０と、この掻寄架台３０を槽底１０ｂに沿って往復運動させる駆動装置５０とを備えている。なお、本実施形態では、汚泥ピット１０ａに向かう方向を往動方向とし、汚泥ピット１０ａから離れる方向を復動方向として説明する。
【００１５】
掻寄架台３０は図１、図２に示すように、槽１０の長手方向に延在する二本の平行な駆動方向材２１と、駆動方向材２１に垂直に交差する形で一定の間隔ごとに設置された複数の平行材２２と、を有している。また、駆動方向材２１と平行材２２は、図３に示すように、各々に接続された結合板２１ａと結合板２２ａ同士をネジ固定されることで結合され、梯子型の形状をなしている。
【００１６】
この平行材２２の両端には、主ローラ２４が設置され、軸周りに回転することができる。また平行材２２の主ローラ２４より内側の両端には、支持アーム２５が揺動可能に接続され、支持アーム２５の先には、槽底１０ｂに堆積した汚泥を掻き寄せるための汚泥掻寄フライト１２が設置されている。平行材２２に接続された結合板２２ａには、突起状のストッパ２６が設けられており、汚泥掻寄フライト１２は、平行材２２の鉛直下方に垂下した状態を第１揺動位置としたとき、汚泥の掻寄動作時に反作用のモーメントが働いても、その復動側（図１の右側）に揺動しないようになっている。
【００１７】
また、この支持アーム２５に設置された主ローラ２４の下側には、主ローラ２４の長さと同じ長さまで支持アーム２５から伸びたバー２３が設けられ、その先端にはバー２３の軸周りに回転可能な副ローラ２７が設けられている。バー２３及び副ローラ２７は、各支持アーム２５に設けられている。
【００１８】
駆動装置５０は、図１、図２に示すように、正逆方向に回転可能なモータ５１を持つ駆動部分と、このモータ５１による動力を伝達するチェーン５２と、チェーン５２が接続されるスプロケット５３ａとを有している。掻寄架台３０の駆動方向材２１には、伝達された駆動力を水平方向の往復運動へと変換するためのラック２１ｂが設けられ、このラック２１ｂはスプロケット５３ｂと噛合されて、掻寄架台３０を図示左右方向に往復運動させる。このことにより、汚泥掻寄部１を往復動作させることができる。
【００１９】
また、汚泥掻寄部１は、図１〜図３に示すように、掻寄架台３０の往復方向に沿って槽１０の側壁に設けられたガイドユニット８０を備えている。ガイドユニット８０は、主ガイドレール８２と副ガイドレール８３とを有している。主ガイドレール８２は、略コ字状の断面を有し、その溝は、掻寄架台３０の方向に向けて開口している。主ローラ２４は、主ガイドレール８２に常時はまった状態で往復動作することができ、それにより汚泥掻寄フライト１２を往復動作させ、汚泥の掻寄動作を行うことができる。この主ガイドレール８２の槽底１０ｂからの高さは、図２及び図３に示すように、掻寄架台３０の支持アーム２５が第１の揺動位置にあるときに、汚泥掻寄フライト１２の下端がほぼ槽底１０ｂに達するような高さとされている。
【００２０】
副ガイドレール８３は、主ガイドレール８２のすぐ下に平行に存在して主ガイドレール８２と同様の略コ字状断面を有し、掻寄架台３０の方向に開口している。この副ガイドレール８３の底面からの高さは、支持アーム２５が第１の揺動位置とされた時の副ローラ２７の位置よりも高く設定され、後述する下側案内フラップ８５を介して支持アーム２５の副ローラ２７を副ガイドレール８３の溝内に収容し（図３の仮想線）、案内可能となっている。なお、副ガイドレール８３の上面を主ガイドレールとして使用することで、主ガイドレール８２を省略してもよい。
【００２１】
また、副ガイドレール８３の下側フランジ８３ａには、図１及び図４に示すとおり、下方から副ローラ２７を出し入れすることができる開口部８４が設けられている。開口部８４は、掻寄架台３０の平行材２２の水平方向の設置間隔と同じに設けられ、平行材２２の設置数よりも一つ多く往復方向に複数形成されている。
【００２２】
また、ガイドユニット８０は、図４に示すように、副ガイドレール８３の下側フランジ８３ａにおける開口部８４の復動方向側、すなわち、汚泥ピット１０ａから遠い側の縁の近傍に、各開口部８４の下方に向いて延在する板状の下側案内フラップ８５を備えている。この下側案内フラップ８５は、開口部８４に対応する大きさを有すると共に、上下方向に揺動自在となっており、汚泥ピット１０ａから遠い側の下側に軸支されている。
【００２３】
そして下側案内フラップ８５は、水平位置から所定の角度を超えて下方に揺動しないように制限するためのストッパ８６と、下側案内フラップ８５を下方に付勢する引張バネ８７とによって、副ローラ２７による外力を受けない限り通常下方を向いて、ストッパ８６によって位置決めされている。ストッパ８６は副ガイドレール８３に設置され、引張バネ８７は副ガイドレール８３と下側案内フラップ８５に繋がれて設置されている。なお、引張バネ８７を省略し、下側案内フラップ８５の自重で動作するようにしてもよい。
【００２４】
ここで、所定の角度とは、第１の揺動位置とされる状態で、汚泥掻寄フライト１２が往動方向へ移動中には、副ローラ２７が下側案内フラップ８５の下面に当接可能であり、復動方向で副ローラ２７が下側案内フラップ８５の上面に当接可能である角度である。
【００２５】
そして図５に示すように、所定の角度とされた状態で、復動時に汚泥掻寄部１の支持アーム２５に設置されている副ローラ２７が下側案内フラップ８５の上面に当接した場合は、下側案内フラップ８５に沿って、副ローラ２７を副ガイドレール８３内に滑らかに案内する。また同様に、掻寄動作に入る往動時には、副ガイドレール８３内を移動していた副ローラ２７を下側案内フラップ８５の上面に沿って、滑らかに副ガイドレール８３の外へ案内する。
【００２６】
さらに副ガイドレール８３の下側フランジ８３ａの開口部８４における往動側、すなわち汚泥ピット１０ａに近い側には、開口部８４の上方に向かって上側案内フラップ８８が設置されている。上側案内フラップ８８は、開口部８４を覆うことができる程度の大きさであり、下側フランジ８３ａの往動側に軸支されていて、上下に揺動可能となっている。上側案内フラップ８８には外力が加えられていない状態では通常、上側フランジ８３ｂに接触した状態となり、そこから上方に揺動することはできないようになっている。また、往動側から副ガイドレール８３内を移動してきた副ローラ２７が通過する際には、図６に示すように副ローラ２７によって上側案内フラップ８８は押し倒されて下側に揺動する。そして、上側案内フラップ８８は、開口部８４を塞ぐ形で下側案内フラップ８５に接触すると、それより下側に揺動することはない。このとき、押し下げられた上側案内フラップ８８が開口部８４を塞いでいるため、副ローラ２７が開口部８４を通過することが可能となり、副ローラ２７が開口部８４を通過すると、図７に示すように、圧縮バネ８９により押し戻されて通常の状態に戻り、上側フランジ８３ｂに接触した状態となる。なお、圧縮バネ８９に替え、上側案内フラップ端部にカウンターウェイトを設置することにより動作するようにしてもよい。
【００２７】
また、再び往動方向へ移動方向が切り替わった際には、上側案内フラップ８８は上側フランジ８３ｂに接触してそれ以上上方へ揺動できないため、副ローラ２７が移動してきて副ガイドレール８３から外（下）へ案内される際には、上側案内フラップ８８が副ローラ２７の進行方向を遮ることにより、副ローラ２７をより円滑に副ガイドレール８３の外（下）へと案内することができる。
【００２８】
次に、スカム掻寄部２について説明する。図８はスカム掻寄部２の一部を拡大して示す側面図であり、図９はスカム掻寄部２の平面図である。図８及び図９に示すように、スカム掻寄部２は、スカムを掻き寄せるスカム掻寄フライト（浮上物用掻寄羽根）７２を水平方向に複数一定間隔で揺動可能に支持するスカム掻寄用の掻寄架台（第２の架台）６０を備えている。
【００２９】
掻寄架台６０は、槽１０の側壁に沿って平行に配置された二本の駆動方向支持フレーム６１と、駆動方向支持フレーム６１に垂直に設置される二本の平行支持フレーム６２とを有している。槽１０の側壁には、断面略コ字状のガイドレール６３が設置され、その溝が掻寄架台６０の方向に開口している。
【００３０】
また、掻寄架台６０の駆動方向支持フレーム６１には、三本のサポート軸７０が設置されている。サポート軸７０は、平行支持フレーム６２と平行に設置され、駆動方向支持フレーム６１の両端と中央に設置されている。サポート軸７０の両端には、車輪７１が回転可能に設置されている。車輪７１は、前述したガイドレール６３の溝内で移動できるように収容され、槽１０の側壁に沿って移動することができるようになっている。
【００３１】
そして、サポート軸７０の両端には、車輪７１より内側の両端に支持アーム６４が設置されている。支持アーム６４は、サポート軸７０に揺動可能に支持されており、通常状態では自重により垂直に垂下するように設置されている。支持アーム６４の先には、スカムを掻き寄せるためのスカム掻寄フライト７２が設置されている。スカム掻寄フライト７２は、スカム掻寄部２が復動方向に向かっているときには、図８に示すように、水面１１のスカムＳを掻き寄せてスカムパイプ２０の方向に押しやる動作をし、往動方向に向かっているときには、図１０に示すように、水面１１から上方に離れてスカムＳを掻き戻すことのない状態となる。またサポート軸７０には、支持アーム６４が垂直方向に垂下した状態において、それ以上往動方向に揺動しないようにストッパ（図示しない）が設けられており、スカム掻寄フライト７２がスカムを掻き寄せる際に往動方向へ押し戻されるのを防いでいる。
【００３２】
支持アーム６４には、図１０に示すように、三枚のブレードが設置されている。往動方向へ向かって後方ブレード７３ａ、復動方向に向かって前方ブレード７３ｂ、垂直上方向に上方ブレード７３ｃの三本のブレードが設置され、側面から見ると十字の形状をしている。また、上方ブレード７３ｃには連結部材７５が取り付けられており、各支持アーム６４に設けられた上方ブレード７３ｃを揺動可能に連結している。最も往動側の支持アーム６４の後方ブレード７３ａには、その先にさらに引掛部７４が屈曲形成されている。掻寄架台６０の最も往動側には、駆動方向支持フレーム６１から伸びた軸上にカム７６が設けられ、最も往動側の支持アーム６４が傾斜してスカム掻寄フライト７２が水面１１から離間した状態で、後方ブレード７３ａの引掛部７４を固定する。
【００３３】
スカム掻寄部２が復動方向へ移動を続けて後退限位置に至る途上の槽１０の側壁には、図１及び図１０に示すように、最も往動側の支持アーム６４の上方ブレード７３ｃに係止して、スカム掻寄フライト７２を水面１１から離間させるように、支持アーム６４を傾斜させる引上げバー７７が設けられている。復動方向へとスカム掻寄部２が移動してきた際、上方ブレード７３ｃが引上げバー７７と係止して支持アーム６４が揺動し、この状態で後方ブレード７３ａの引掛部７４にカム７６がはまり込むことで、支持アーム６４が傾斜した状態で支持され、スカム掻寄フライト７２はそのまま退避状態に保持される。このとき、全ての支持アーム６４は連結部材７５によって連結されているため、全てのスカム掻寄フライト７２は同期して同様に退避状態となる。
【００３４】
掻寄架台６０の前進限位置において、往動方向の移動から復動方向にスカム掻寄部２の移動方向が移る際、カム７６が回転され、図１１に破線で示すように、後方ブレード７３ａの引掛部７４との係止が解除される。このことによって、自重により支持アーム６４が回動し、支持アーム６４が鉛直に垂下した状態となって、スカム掻寄フライト７２が水面１１に着水し、スカムを掻き寄せできる状態となる。
【００３５】
上記した汚泥掻寄用の掻寄架台３０とスカム掻寄用の掻寄架台６０とは、連動して往復動できるように連結機構９０により連結されている。連結機構９０は、図１２に示すように、棒体９２と筒体９４とを有している。棒体９２は、スカム掻寄用の掻寄架台６０の四隅から上下方向に垂下されている。一方、筒体９４は、掻寄架台３０の四隅から上下方向に立設されている。
【００３６】
棒体９２の先端部は、筒体９４内に摺動自在に挿通されている。この棒体９２は、筒状をなしてもよい。また、棒体９２が掻寄架台３０に立設され、筒体９４が掻寄架台６０から垂下されていてもよい。
【００３７】
このように、棒体９２が筒体９４内に摺動自在に挿通されているため、掻寄架台３０が駆動装置５０により駆動されて横方向に往復動するとき、掻寄架台３０に立設された筒体９４が、掻寄架台６０から垂下された棒体９２を横方向に付勢することで、汚泥掻寄用の掻寄架台３０の往復動に連動して、スカム掻寄用の掻寄架台６０を横方向に移動させることができる。このとき、棒体９２が筒体９４内を上下することで、掻寄架台３０の上下方向の変位を吸収することができる。その結果、図１３に示すように、槽底１０ｂが傾斜している場合であっても、汚泥掻寄用の掻寄架台３０を槽底１０ｂに沿って往復動させつつ、スカム掻寄用の掻寄架台６０を水面１１に沿って水平に往復動させることができる。なお、図１３では、説明の便宜上、槽底１０ｂの傾斜を誇張して描いており、実際のものと必ずしも一致するものではない。
【００３８】
次に、このような汚泥及びスカムの掻寄装置の作用及び効果について説明する。
【００３９】
まず、図１４に示すように、掻寄架台３０が後退限位置まで後退し、往動方向に反転して汚泥掻寄を始める状態から説明する。
【００４０】
この状態で図１４のモータ５１が時計方向に回転すると、汚泥掻寄部１が往動方向に進み、副ローラ２７が開口部８４から出て副ガイドレール８３から離脱し、支持アーム６４が回動して第１の揺動位置に位置して、汚泥掻寄フライト１２が汚泥を掻き寄せ可能となる。そして、モータ５１が時計方向に回転し続けると、汚泥掻寄フライト１２が汚泥を掻き寄せ、往動方向に汚泥を送る。この際、下側案内フラップ８５は、上側へ揺動可能であるため、隣の下側案内フラップ８５を通過する際には、図４に示すように、副ローラ２７は下側案内フラップ８５下部と接触して押し上げて通過でき、そのまま汚泥を掻き寄せて、往動側に送ることができる。
【００４１】
開口部８４を支持アーム２５が通過すると、図１の状態に至り、モータ５１は逆に反時計方向に回転され、復動動作に入る。復動動作では、副ローラ２７は再び開口部８４に到達し、下側案内フラップ８５に接触すると、図５に示すように下側案内フラップ８５に沿って副ローラ２７は上側へ案内される。これと同時に支持アーム２５と共に汚泥掻寄フライト１２も上側へ移動して槽底１０ｂから離れ、汚泥を掻き戻したり巻き上げたりしない状態になる。
【００４２】
開口部８４から副ガイドレール８３内に案内された副ローラ２７は、そのまま移動を続け、副ガイドレール８３内を案内されて隣の開口部８４へと到達する。
【００４３】
隣の開口部８４へ到達すると、副ローラ２７は上側案内フラップ８８に到達する。上側案内フラップ８８は下側に揺動することができるため、図６に示すように、副ローラ２７はそのまま移動を続けると上側案内フラップ８８を押し下げて通過することができる。また上側案内フラップ８８は、副ローラ２７によって最大限下側に押し下げられた場合、開口部８４を塞ぐ形となるため、副ローラ２７が副ガイドレール８３から下に落ち込んでしまうことの無いように副ローラ２７を円滑に案内する。そして、副ローラ２７が開口部８４を通過した後、図７に示すように、上側案内フラップ８８は圧縮バネ８９によって通常位置まで速やかに戻る。
【００４４】
開口部８４を通過すると、図１４に示す状態に至り、モータ５１が時計方向に回転し、再び往動動作に戻る。そのため副ローラ２７は再度開口部８４に到達し、下側案内フラップ８５に案内されて副ガイドレール８３の外（下）方向に円滑に案内される。
【００４５】
これらの一連の動きによって、汚泥の掻寄状態である往動時には汚泥掻寄フライト１２を第１の揺動位置まで下げて汚泥を掻き寄せ、汚泥の掻寄状態でない復動時には汚泥掻寄フライト１２を所定位置まで上側に退避させ、堆積物を逆方向に掻き戻すことや、巻き上げる等を防止することができる。
【００４６】
上記した汚泥掻寄部１の往復動に連動して、スカム掻寄部２は往復動する。図１に示すように、スカム掻寄部２が前進限位置に到達して復動動作に入り、スカム掻寄フライト７２が水面１１に下りてスカムを掻き寄せる状態から説明を始める。前進限位置では、図１及び図８に示すように、支持アーム６４が鉛直に垂下し、スカム掻寄フライト７２が水面１１上でスカムを掻き寄せ可能となる。この状態で駆動装置５０により汚泥掻寄用の掻寄架台３０が復動方向に移動されると、連結機構９０によりスカム掻寄用の掻寄架台６０が掻寄架台３０と連動して移動される。このとき、水面１１に差し込まれた三本のスカム掻寄フライト７２が、スカムをスカムパイプ２０に向けて掻き寄せる。
【００４７】
そして、後退限位置に至る途上で、図１０に示すように、槽１０の側壁に設けられた引上げバー７７に支持アーム６４に設けられた上方ブレード７３ｃが当たり、支持アーム６４が持ち上げられて、同時にスカム掻寄フライト７２も水面１１から浮上する。すると、後方ブレード７３ａ先端にある引掛部７４にカム７６が噛み合って固定され、退避状態となる。
【００４８】
往動方向へ進行方向が転換されると、スカム掻寄フライト７２が退避状態に位置したままで往動方向への移動を続けるが、その間はスカム掻寄フライト７２が水面１１上から浮上しているため、一度掻き寄せたスカムを掻き戻すことなく移動することができる。
【００４９】
前進限位置に到達すると、図１１で破線で示すようにカム７６が回転され、支持アーム６４の固定状態が解除される。すると、スカム掻寄フライト７２は退避状態から通常の状態に戻って再び水面１１へと着水し、スカムを掻き寄せることができる状態へと戻る。
【００５０】
このような一連の動作を繰り返し、汚泥の掻寄とスカムの掻寄が行われるのであるが、汚泥ピット１０ｂに汚泥を送り易いように、槽底１０ｂには汚泥ピット１０ａに向かって傾斜が設けられている。このとき、汚泥掻寄用の掻寄架台３０は、槽底１０ｂに沿って傾斜した軌道上を往復動させる必要がある。一方で、スカム掻寄用の掻寄架台６０は、浮上したスカムを好適に掻き寄せられるように水面１１に沿った水平な軌道上を往復動させる必要がある。このように、槽底１０ｂが傾斜しているときには、掻寄架台３０と掻寄架台６０とを、互いに平行でない軌道に沿ってそれぞれ往復動させる必要がある。
【００５１】
このとき、本実施形態の掻寄装置では、連結機構９０により掻寄架台３０の上下方向の変位を掻寄架台６０に伝えないように吸収することができるため、槽底１０ｂが傾斜している場合に、汚泥掻寄用の掻寄架台３０をその傾斜に沿って往復動させつつも、スカム掻寄用の掻寄架台６０を上下方向に変位させることなく、水面１１に沿って横方向に往復動するよう連動させることができる。このように、槽底１０ｂが傾斜している場合であっても、汚泥掻寄部１とスカム掻寄部２とをリンクさせて連動させることができ、汚泥及びスカムの掻寄の両立を図ることが可能となる。
【００５２】
そして、連結機構９０を棒体９２と筒体９４とで構成しているため、簡易な構成にも関わらず、上記作用効果を好適に実現することができる。
【００５３】
なお、本発明に係る汚泥及びスカムの掻寄装置は、上記した実施形態に限定されることなく、種々の変形が可能である。
【００５４】
例えば、上記実施形態では、連結機構９０は棒体９２と筒体９４とを備える構成としたが、連結機構９０は、図１５に示すように、汚泥掻寄用の掻寄架台３０の四隅から立設される板材９６と、スカム掻寄用の掻寄架台６０の四隅から垂下される板材９８とを備える構成としてもよい。この場合、図１５に示すように、掻寄架台３０に設けられた板材９６が、掻寄架台６０に設けられた板材９８に往復動方向に対して内側から接するように設けるか、掻寄架台６０に設けられた板材９８が、掻寄架台３０に設けられた板材９６に往復動方向に対して内側から接するように設ける。
【００５５】
また、連結機構９０は、図１６に示すように、汚泥掻寄用の掻寄架台３０から立設される板材９６と、スカム掻寄用の掻寄架台６０から垂下される板材９８とを備える構成としてもよい。この場合、図１６に示すように、一対の板材９８の間で板材９６を挟み込むように構成する。なお、板材９６の方を一対設け、この間で一つの板材９８を挟み込むように構成してもよい。
【００５６】
また、連結機構９０は、図１７に示すように、汚泥掻寄用の掻寄架台３０から立設される板材１０２と、スカム掻寄用の掻寄架台６０から垂下される板材１０４と、これらを接続するリンク１０６とを備える構成としてもよい。この場合、図１７に示すように、リンク１０６の上端は板材１０４に回動可能に軸支され、リンク１０６の下端は、突起１０６ａを介して板材１０２に上下方向に設けられた長穴１０２ａに、上下方向に移動可能に連結する。
【００５７】
このようにしても、掻寄架台３０の往復動に連動して掻寄架台６０を横方向に移動させると共に、掻寄架台３０の上下方向の変位を掻寄架台６０に伝えないように吸収することができる。
【図面の簡単な説明】
【００５８】
【図１】汚泥及びスカムの掻寄装置を横方向から見た全体図である（前進限位置にある）。
【図２】図１の掻寄装置を示す側面模式図であり、図１のＩＩ−ＩＩ線矢視図である。
【図３】ガイドユニットの近傍を示す拡大図である。
【図４】往動時の汚泥掻寄フライトの状態を示す模式図である。
【図５】下側案内フラップに副ローラが案内されて汚泥掻寄フライトが退避位置に移動される状態或いは通常位置に戻される状態を示す図である。
【図６】復動時の汚泥掻寄フライトの状態を示す模式図である。
【図７】汚泥掻寄フライトがフラップが設けられた開口部を越えた位置に位置する様子を示す図である。
【図８】スカム掻寄部の一部を拡大して示す側面図である。
【図９】スカム掻寄部の平面図である。
【図１０】スカム掻寄フライトが退避位置にある様子を示す図である。
【図１１】カムによりスカム掻寄フライトを退避位置で固定したり解除したりする様子を示す図である。
【図１２】汚泥掻寄用の掻寄架台とスカム掻寄用の掻寄架台とを連結する連結機構を示す図である。
【図１３】連結機構により汚泥掻寄用の掻寄架台の上下方向の変位が吸収される様子を示す模式図である。
【図１４】汚泥及びスカムの掻寄装置を横方向から見た全体図である（後退限位置にある）。
【図１５】連結機構の変形例を示す図である。
【図１６】連結機構の変形例を示す図である。
【図１７】連結機構の変形例を示す図である。
【符号の説明】
【００５９】
１…汚泥掻寄部、２…スカム掻寄部、１０…槽、１０ｂ…槽底、１１…水面、１２…汚泥掻寄フライト、２５…支持アーム、３０…汚泥掻寄用の掻寄架台、６０…スカム掻寄用の掻寄架台、６４…支持アーム、７２…スカム掻寄フライト、９０…連結機構、９２…棒体、９４…筒体。
【図１】
2008073599.tif 000003
【図２】
2008073599.tif 000004
【図３】
2008073599.tif 000005
【図４】
2008073599.tif 000006
【図５】
2008073599.tif 000007
【図６】
2008073599.tif 000008
【図７】
2008073599.tif 000009
【図８】
2008073599.tif 000010
【図９】
2008073599.tif 000011
【図１０】
2008073599.tif 000012
【図１１】
2008073599.tif 000013
【図１２】
2008073599.tif 000014
【図１３】
2008073599.tif 000015
【図１４】
2008073599.tif 000016
【図１５】
2008073599.tif 000017
【図１６】
2008073599.tif 000018
【図１７】
2008073599.tif 000019